(57)【特許請求の範囲】
【請求項１】
酸素、炭酸ガス、又は酸素と炭酸ガスの混合ガス（以下、「ガス」という）を供給するガス供給手段と、
天面が湾曲しているドーム型形状を有し上部をガスミスト貯留部で下部を液体貯留部とする貯留部と、前記ガスミスト貯留部内に設けられるバッフルと、前記貯留部の底面と前記遮蔽板とを貫通し前記ガスミスト貯留部に突出して配置されており前記ガス供給手段からのガスを前記バッフルに向けて吐出するノズルと、前記ノズルからの前記ガスの吐出により生じる負圧によって前記液体貯留部の前記液体を吸い上げて前記バッフルに向けて吐出する吸液管と、前記天面の略頭頂部に形成されており、前記ガスと前記液体とが前記バッフルに衝突することで生成されて拡散し前記天面の湾曲面に沿って上昇していくガスミストを収集して前記貯留部から排出するガスミスト排出口と、を有するガスミスト生成手段と、
前記ガスミストを透過させる第１のシートと透過させない第２のシートとを備えて両方の前記シートの間に密閉空間を形成する平面形状のマスク本体と、前記ガスミスト排出口と前記密閉空間とを接続する接続部と、前記マスク本体を加熱する発熱部材と、該マスク本体を前記第１のシートが人体の眼部又は顔部に向かうよう固定する固定部と、を有するマスク部材と、を備え、
前記ガスミスト生成手段が前記接続部から前記密閉空間内に前記ガスミストを供給することにより、前記ガスミストを人体の眼部又は顔部に接触させることを特徴とするガスミストマスク装置。
【請求項２】
前記マスク部材が、アイマスクの形状を有することを特徴とする請求項１に記載のガスミストマスク装置。
【請求項３】
前記マスク部材が、フェイスマスクの形状を有することを特徴とする請求項１に記載のガスミストマスク装置。
【請求項４】
前記ガス供給手段が、カートリッジ式ガスボンベであることを特徴とする請求項１に記載のガスミストマスク装置。
【請求項５】
前記ガス供給手段が、ガス供給時間設定部、ガス供給圧調整部、ガス混合比設定部の何れか一つ又は複数を備えることを特徴とする請求項１に記載のガスミストマスク装置。
【請求項６】
前記ガスミスト生成手段が、複数の前記マスク部材にガスミストを供給することを特徴とする請求項１に記載のガスミストマスク装置。
【請求項７】
前記液体は、水、イオン水、オゾン水、生理食塩水、精製水、又は滅菌精製水の何れか一つ又は複数の組み合わせであることを特徴とする請求項１に記載のガスミストマスク装置。
【請求項８】
前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、シリカ、ポピドンヨード、抗アレルギー剤、抗炎症剤、解熱鎮痛剤、抗真菌剤、抗インフルエンザウィルス剤、インフルエンザワクチン、ステロイド剤、抗ガン剤、又は血圧降下剤のうち、何れか一つ又は複数をさらに含有することを特徴とする請求項７に記載のガスミストマスク装置。
【請求項９】
前記ガスミスト生成手段から前記マスク部材内に供給される前記ミストの粒径が、１０μｍ以下であることを特徴とする請求項１に記載のガスミストマスク装置。
【請求項１０】
前記マスク部材は、前記ガスミスト生成手段から供給されるガスミストを前記カバー手段内に導入するためのガスミスト供給口を有し、
該ガスミスト供給口内部には逆止弁が設けられていることを特徴とする請求項１に記載のガスミストマスク装置。
【請求項１１】
前記ガスミスト生成手段が、前記マスク部材へガスミストを供給するためのガスミスト供給管を有し、
該ガスミスト供給管が、管内に付着する液滴を除去するためのフィルターを備えることを特徴とする請求項１に記載のガスミストマスク装置。
【請求項１２】
前記ガスミスト生成手段が、前記マスク部材へガスミストを供給するためのガスミスト供給管を有し、
該ガスミスト供給管の全部又は一部がジャバラ状の管から構成されることを特徴とする請求項１に記載のガスミストマスク装置。
【請求項１３】
前記ガスミスト生成手段が、前記マスク部材へガスミストを供給するためのガスミスト供給管を有し、
該ガスミスト供給管に、逆止弁を設けることを特徴とする請求項１に記載のガスミストマスク装置。
【請求項１４】
前記ガスミスト貯留部には、生成された前記ガスミストを微細化するための細孔が設けられたプレートが一又は複数配置されていることを特徴とする請求項１に記載のガスミストマスク装置。
【請求項１５】
前記ガスミスト貯留部に、前記ガス供給手段からのガスを直接供給するためのガス供給口を設けることを特徴とする請求項１に記載のガスミストマスク装置。
【請求項１６】
前記ガスミスト生成手段が、予め滅菌処理されていることを特徴とする請求項１に記載のガスミストマスク装置。
【発明の詳細な説明】
【技術分野】
【０００１】
本発明は、酸素、炭酸ガス、又は酸素と炭酸ガスの混合ガスと液体とを粉砕溶解させたガスミストを人体の顔部及び眼部に接触させるためのガスミストマスク装置に関する。
【背景技術】
【０００２】
近年、冷暖房設備の普及と断熱気密された建造物の増加により、室内環境の乾燥化が進んでいる。このような乾燥は、肌や粘膜に影響を及ぼし、しわや痒み等の肌トラブルや、眼精疲労、ドライアイ等の原因となっている。このような乾燥から人体の顔部及び眼部を守るためには、患部に適度な湿度と温浴効果を与えるミスト浴（蒸気浴）が有効である。【０００３】
ところで、従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも注目を集めている。【０００４】
生体の組織中で炭酸ガスは、赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。【０００５】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。
【発明の概要】
【発明が解決しようとする課題】
【０００６】
上述のように、人体の顔部及び眼部を乾燥や冷えから守るためにミスト浴は有効であるが、ある程度の時間に亘る効果的なミスト浴を行うためには、ミストを発生させこれを顔や目に当てるための専用の装置が必要となる。しかしながら、そのような装置は大掛かりなものが多く、価格も高価であった。【０００７】
また、各種の薬剤に酸素や炭酸ガスを溶解させ、それらの薬剤の効果に加えて生体に酸素や炭酸ガスの生理作用を及ぼすことができるミスト浴装置はこれまでになかった。【０００８】
そこで本発明は、上記状況に鑑みて、酸素や炭酸ガスの生理作用を利用して顔や目元のミスト浴を行うことができる、コンパクトかつ安価なガスミストマスク装置を提供することを目的とする。
【課題を解決するための手段】
【０００９】
本発明は、上記課題を解決するために、酸素、炭酸ガス、又は酸素と炭酸ガスの混合ガス（以下、「ガス」という）を供給するガス供給手段と、天面が湾曲しているドーム型形状を有し上部をガスミスト貯留部で下部を液体貯留部とする貯留部と、前記ガスミスト貯留部内に設けられるバッフルと、前記貯留部の底面と前記遮蔽板とを貫通し前記ガスミスト貯留部に突出して配置されており前記ガス供給手段からのガスを前記バッフルに向けて吐出するノズルと、前記ノズルからの前記ガスの吐出により生じる負圧によって前記液体貯留部の前記液体を吸い上げて前記バッフルに向けて吐出する吸液管と、前記天面の略頭頂部に形成されており、前記ガスと前記液体とが前記バッフルに衝突することで生成されて拡散し前記天面の湾曲面に沿って上昇していくガスミストを収集して前記貯留部から排出するガスミスト排出口と、を有するガスミスト生成手段と、前記ガスミストを透過させる第１のシートと透過させない第２のシートとを備えて両方の前記シートの間に密閉空間を形成する平面形状のマスク本体と、前記ガスミスト排出口と前記密閉空間とを接続する接続部と、前記マスク本体を加熱する発熱部材と、該マスク本体を前記第１のシートが人体の眼部又は顔部に向かうよう固定する固定部と、を有するマスク部材と、を備え、前記ガスミスト生成手段が前記接続部から前記密閉空間内に前記ガスミストを供給することにより、前記ガスミストを人体の眼部又は顔部に接触させることを特徴とするガスミストマスク装置を提供する。
【００１０】
なお、本願においては、液体を粉砕し微細な液滴にして気体（酸素、炭酸ガス、又は酸素と炭酸ガスの混合ガス）と接触混合させることを、粉砕溶解という。【００１１】
ここで、前記マスク部材は、アイマスク又はフェイスマスクの形状を有するのが好適である。【００１２】
また、前記ガス供給手段は、カートリッジ式ガスボンベであるのが好適である。あるいは前記ガス供給手段は、ガス供給時間設定部、ガス供給圧調整部、ガス混合比設定部の何れか一つ又は複数を備えるものであっても良い。【００１３】
また、前記ガスミスト生成手段は、複数の前記マスク部材にガスミストを供給するものであっても良い。【００１４】
なお、前記液体は、水、イオン水、オゾン水、生理食塩水、精製水、又は滅菌精製水の何れか一つ又は複数の組み合わせであるのが最適である。そして、前記液体は、メンソール、ビタミンＥ、ビタミンＣ誘導体、レチノール、麻酔薬、シクロデキストリン、光触媒、光触媒とアパタイトの複合体、ヒアルロン酸、コエンザイムＱ１０、シードオイル、プロポリス、シリカ、ポピドンヨード、抗アレルギー剤、抗炎症剤、解熱鎮痛剤、抗真菌剤、抗インフルエンザウィルス剤、インフルエンザワクチン、ステロイド剤、抗ガン剤、又は血圧降下剤のうち、何れか一つ又は複数をさらに含有するのが好ましい。【００１５】
なお、前記ガスミスト生成手段から前記マスク部材内に供給される前記ミストの粒径は、１０μｍ以下であるのが好ましい。【００１７】
さらに、前記マスク部材は、前記ガスミスト生成手段から供給されるガスミストを前記カバー手段内に導入するためのガスミスト供給口を有し、このガスミスト供給口内部には逆止弁が設けられているのが良い。【００１８】
また、前記ガスミスト生成手段が、前記マスク部材内へガスミストを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。また、このガスミスト供給管には、逆止弁を設けるのが良い。【００１９】
さらに、前記ガスミスト生成手段は、ガスミストを貯留するための貯留部を有し、この貯留部に、前記ガスミストを微細化するための細孔が設けられたプレートを一又は複数配置するのが好適である。また、貯留部には、ガス供給手段からのガスを直接供給するためのガス供給口を設けるようにしても良い。【００２０】
また、前記ガスミスト生成手段は、予め滅菌処理されるのが好適である。
【発明の効果】
【００２１】
本発明のガスミストマスク装置によれば、酸素や炭酸ガスの生理作用を利用して、人体の眼部及び顔部を乾燥と冷えから守り、血流を盛んにし、炎症などを早く鎮める、免疫力を上昇させる等の効果を発揮することができる。【００２２】
また、簡易な構造からなるために安価で、さらに非常にコンパクトなため、持ち運びも可能で簡便に人体の眼部及び顔部のガスミスト浴を行うことができる。
【図面の簡単な説明】
【００２３】
【図１】本発明の第１の実施形態に係るガスミストマスク装置の全体概略図である。
【図２】図１のガスミスト生成器の部分断面模式図である。
【図３】図１のガスミスト生成器の一部破断斜視図である。
【図４】図１のガスミストマスク装置に用いられるガスミスト供給管の一例を示す模式図である。
【図５】本発明のガスミスト生成器の他の例を示す部分断面模式図である。
【図６】本発明のガスミスト生成器内に配置されるプレートの一例を示す模式図である。
【図７】図１のアイマスクを装着した状態の例を示す模式図である。
【図８】図１のアイマスクの一例を示す模式図である。
【図９】図１のアイマスクの他の例を示す模式図である。
【図１０】本発明の第２の実施形態に係るガスミストマスク装置の全体概略図である。
【図１１】図１０のフェイスマスクを装着した状態の例を示す模式図である。
【図１２】本発明の第３の実施形態に係るガスミストマスク装置の全体概略図である。
【図１３】図１３のマスク部材の他の例を示す模式図である。
【図１４】本発明の第４の実施形態に係るガスミストマスク装置の全体概略図である。
【図１５】本発明の第５の実施形態に係るガスミストマスク装置の全体概略図である。
【発明を実施するための形態】
【００２４】
以下、本発明の実施の形態について、図面を参照しながら詳細に説明する。
【００２５】
〔第１の実施形態〕
図１は、本発明の第１の実施形態に係るガスミストマスク装置の全体概略図である。この図に示すように、本実施形態のガスミストマスク装置１０Ａは、ガス供給手段としてのガスボンベ１１０と、ガスミスト生成手段としてのガスミスト生成器１２０と、マスク部材としてのアイマスク１３０とを有する。
【００２６】
酸素、炭酸ガス、又は酸素と炭酸ガスの混合ガス（以下、「ガス」という）を供給するガスボンベ１１０は、本実施形態では携帯性に着目して小型のカートリッジ式のものを用いる。この小型のガスボンベ１１０は、図１のようにガスミスト生成器１２０のガスボンベ接続部１２６に装着され、ガスミスト生成器１２０にガスを所定圧で供給する。
【００２７】
ガスミスト生成器１２０は、内部に液体を貯留して、ガスボンベ１１０から供給されるガスの高速流により、この液体とガスを粉砕溶解したガスミストを生成し、これをマスク部材（アイマスク１３０）に供給する。図２及び図３に、ガスミスト生成器１２０の構造を示す。これらの図に示すように、ガスミスト生成器１２０は、ガスミストを貯留するガスミスト貯留部１２１Ａと液体を貯留する液体貯留部１２１Ｂとからなる貯留部１２１と、ガスボンベ１１０から供給されるガスを先端開口１２２Ａから吐出するノズル１２２と、液体貯留部１２１Ｂに貯留された液体をノズル１２２の先端まで吸い上げる吸液管１２４Ａを構成する吸液管形成部材１２４と、ノズル１２２の先端開口１２２Ａと対向する位置に設けられるバッフル１２５と、ガスボンベ１１０と接続されるガスボンベ接続部１２６と、生成されたガスミストを排出するガスミスト排出口１２７とを備えている。
【００２８】
貯留部１２１は、図３に示すように遮蔽板１２３により、ガスミスト貯留部１２１Ａと液体貯留部１２１Ｂとに分割されている。遮蔽板１２３の上側（ノズル先端開口１２２Ａ側）が生成したガスミストを貯留するガスミスト貯留部１２１Ａであり、下側（ガスボンベ接続部１２６側）が液体を貯留する液体貯留部１２１Ｂである。
【００２９】
なお、遮蔽板１２３は、液体貯留部１２１Ｂ内の圧力をガスミスト貯留部１２１Ａ内の圧力よりも高く維持することにより液体を吸液管１２４Ａ内の上方に押し上げる作用を有する。このため、遮蔽板１２３は、液体貯留部１２１Ｂの内壁の所定位置に固定状態で配置されていても良いが、液体貯留部１２１Ｂ内の液面レベルに応じて上下に移動可能な構成にしても良い。また、ノズル１２２の先端開口１２２Ａから吐出するガス圧の大きさ次第によっては、遮蔽板１２３は無くても良い。
【００３０】
貯留部１２１の底側中央には、ノズル１２２が設けられている。このノズル１２２は、貯留部１２１の底及びガスボンベ接続部１２６に連通しており、貯留部１２１の底から上側向かって略円錐筒状に形成されている。ノズル１２２の基端はガスボンベ接続部１２６に繋がり、ここに直接ガスボンベ１１０を接続可能である。また、ノズル１２２の先端は、ガスミスト貯留部１２１Ａ側に突出し、先端開口１２２Ａからガスを吐出することが可能である。
【００３１】
吸液管１２４Ａは、ノズル１２２の外周面と、ノズル１２２より一回り大きい略円錐筒状の吸液管形成部材１２４の内周面との間に形成される。即ち、図２に示すように、ノズル１２２の吸液管形成部材１２４を被せるように配置することにより、ノズル１２２の外周面と吸液管形成部材１２４の内周面との間に吸液管１２４Ａが形成される。このとき、図示は省略したが吸液管形成部材１２４の基端には微小な爪状突起部が設けられているため、吸液管形成部材１２４の基端と液体貯留部１２１Ｂの底面には隙間が形成されており、この隙間から液体貯留部１２１Ｂに貯留された液体が吸液管１２４Ａにより吸い上げられる。また、吸液管形成部材１２４の先端部１２４Ｂは、ノズル１２２の先端開口１２２Ａの近傍で開口しており、ノズル１２２から吐出されるガス流に、吸液管１２４Ａが吸い上げた液体が突き当たるように構成されている。
【００３２】
バッフル１２５は、ノズル１２２の先端開口１２２Ａ及び吸液管形成部材１２４の先端部１２４Ｂに対向する位置に配置される部材であり、ここでは吸液管形成部材１２４に連結している。このほかバッフル１２５を固定するために遮蔽板１２３、貯留部１２１内側、即ちガスミスト生成器１２０の内側と連結する構成であっても良い。なお、吸液管形成部材１２４は、上下方向略中央部で遮蔽板１２３と連結されている。また、遮蔽板１２３もその外周で貯留部１２１内側と連結している。このように、ガスミスト生成器１２０は、全体が一体に形成されるのが好ましい。
【００３３】
ガスボンベ接続部１２６は、ノズル１２２の基端と通じており、内部にはレギュレータが設けられている。ガスボンベ接続部１２６には、ワンタッチでガスボンベ１１０が接続可能に構成されるのが好適である。また、ここでは、ガスボンベ接続部１２６に、ダイヤルスイッチ１２６Ａ、残量ゲージ１２６Ｂが設けられた例を示している。ダイヤルスイッチ１２６Ａは、回すことでガス供給のオン・オフ、及び流量調節が可能である。残量ゲージ１２６Ｂには、ガスボンベ１１０のガス残量が表示される。
【００３４】
ガスミスト生成器１２０で生成されたガスミストは、ガスミスト排出口１２７に接続されたガスミスト供給管１２８を通って接続部１３９からアイマスク本体１３１内へ供給される。このガスミスト供給管１２８の内部には、図示しないがガスミストの逆流を防止するための逆止弁を設けるようにする。また、ガスミスト供給管１２８には、図示しないが管内に付着する余分な液滴を取り除くための液滴除去フィルターを設けるようにしても良い。
【００３５】
さらに、ガスミスト供給管１２８は、その全部又は一部を図４に示すような管径の太い柔軟なジャバラ状の管１２８Ａで構成すれば、自在に曲がり、伸縮させることもできるため、使用者の動きを制限することもない。また、ガスミスト供給管１２８を流れるガスミストが次第に液化してもジャバラの凹凸部にその液体を取り除くことが可能となる。
【００３６】
なお、ガスミスト生成器１２０は、予め滅菌処理されているのが好適である。また、本ガスミストマスク装置１０は使用する際に既にガスミスト生成器１２０に液体が貯留された状態であるの好ましい。例えば、液体貯留部１２１Ｂには、予め製造段階において所定の液体が貯留されるのが好適である（使い捨てタイプの場合）。このように使い捨てにすることで、衛生的かつ簡便にガスミストの吸入を行なうことができる。あるいは、貯留部１２１に液体を注入、補充するための液体注入口、液体補充口等が設けられており、ここから液体を予め注入、あるいは使用の都度補充する構成であっても良い。液体補充口（図示せず）はガスミスト生成器１２０のガスミスト貯留部１２１Ａの上方部に蓋付きで設けられ、液体補充口と液体貯留部１２１Ｂの間には液体補充用のパイプ又はチューブを設けるようにすると良い。
【００３７】
また、図５に示すように、ガスミスト貯留部１２１Ａの、ノズル１２２より上の位置には、一枚又は複数枚（図５では例として二枚）のプレート１２０Ａ、１２０Ｂを設けるようにしても良い。図６にそのプレート１２０Ａ、１２０Ｂの一例を示す。このように、プレート１２０Ａ、１２０Ｂには、それぞれ複数の細孔が設けられており、生成されたガスミストがこの細孔を通ることで微細化する。このとき、上に位置するプレート１２０Ａと下に位置するプレート１２０Ｂとでは、上のプレート１２０Ａの細孔の径がより小さくなるようにするのが好適である。
【００３８】
ここで、液体貯留部１２１Ｂに貯留する液体は、水、イオン水、オゾン水、生理食塩水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、インフルエンザワクチン、ステロイド剤、抗ガン剤、血圧降下剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。あるいは、シリカ、ポピドンヨードを添加しても良い。
【００３９】
アイマスク１３０は、図１に示すように、使用者の両目とその周囲を覆う形状を有するアイマスク本体１３１と、このアイマスク本体１３１を使用者に固定するための固定部１３８とから構成される。図７にこのアイマスク１３０を装着した状態を示す。この図に示すように、固定部１３８を使用者の耳にかけることにより、アイマスク本体１３１を使用者の両目とその周囲一帯を覆った状態のままで固定することができる。
【００４０】
アイマスク本体１３１には、ガスミスト生成器１２０で生成されたガスミストをアイマスク本体１３１内に供給するための接続部（ガスミスト供給口）１３９が設けられている。この接続部１３９には、ガスミスト供給管１２８が接続される。なお図示しないが、接続部１３９の内部にはガスミストの逆流を防止するための逆止弁が形成されるのが好適である。
【００４１】
アイマスク本体１３１は、図８（ａ）に示すように内側シート（第１のシート）１３２と外側シート（第２のシート）１３３が重ね合わされた構造を有している。内側シート１３２は通気性及び透湿性の高い素材、外側シート１３３は非通気性、非透湿性の素材から構成し、装着する際は、内側シート１３２が肌に対向する側にくるようにする。なお、この内側シート１３２と外側シート１３３とは、図８（ｂ）に示すように、その周縁が全周に亘って接合部１３５で接合されており、接合部１３５で周縁を囲まれた両シート１３２、１３３間には空間１３４が形成される。この空間１３４には発熱部材１３６が挿入されている。また、前述の接続部１３９はこの空間１３４に通じており、ガスミスト生成器１２０で生成されたガスミストはこの空間１３４に供給される。供給されたガスミストは、通気性、透湿性の高い内側シート１３２を通過して使用者の眼部やその周辺部位の皮膚及び粘膜に接する。
【００４２】
発熱部材１３６は、既存の使い捨てカイロに用いられるような、通気性を有する袋体に鉄粉等の酸化発熱する素材が入ったものを用いるのが好適である。但しこのような発熱部材１３６は、使い捨てを目的とした一度しか使用できないものであるため、図８に示すような予め発熱部材１３６が空間１３４に封入された構成の場合、アイマスク１３０全体を使い捨てにする必要がある。また、未使用時における発熱部材１３６の酸化発熱を防ぐために、アイマスク１３０を非通気性の外装体（図示せず）に無酸素（又は低酸素）状態で包装する必要がある。なお、使い捨ての無駄を省くために、発熱部材１３６としてシート状ヒータを用いて、使い捨てではないアイマスク１３０とすることも可能である。
【００４３】
あるいは、アイマスク本体１３１は、図９に示すような構成であっても良い。図９（ａ）に示すアイマスク本体１３１Ａでは、内側シート１３２Ａと外側シート１３３Ａにさらに通気性シート１３７ａを重ねて、接合部１３５Ａで接合する構成としている。但し通気性シート１３７ａは、全周に亘って接合部１３５Ａで接合せずに、一部開口を設ける。これを発熱部材１３６Ａの出し入れ口１３７ｂとする。アイマスク本体１３１Ａを使用する際に、通気性シート１３７ａと外側シート１３３Ａとの間にこの出し入れ口１３７ｂから発熱部材１３６Ａを挿入する。
【００４４】
また、図９（ｂ）に示すアイマスク本体１３１Ｂでは、内側シート１３２Ｂと外側シート１３３Ｂの間の空間１３４Ｂに発熱部材１３６Ｂを入れずに、外側シート１３３Ｂの外側に粘着素材（例えば両面テープ等）で発熱部材１３６Ｂを貼着する。使用後は発熱部材１３６Ｂを剥がして廃棄する。
【００４５】
図９に示すように、アイマスク本体１３１Ａ、１３１Ｂに対して発熱部材１３６Ａ、１３６Ｂを着脱可能とする構成の場合、鉄粉等の酸化発熱する素材からなる発熱部材１３６Ａ、１３６Ｂのみを非通気性の外装体（図示せず）に無酸素（又は低酸素）状態で包装しておき、使用の都度これをアイマスク本体１３１Ａ、１３１Ｂに取り付け、使用後は発熱部材１３６Ａ、１３６Ｂをアイマスク本体１３１Ａ、１３１Ｂから取り外して廃棄する。つまり、発熱部材１３６Ａ、１３６Ｂのみを使い捨てにし、アイマスク本体１３１Ａ、１３１Ｂは繰り返し使用することが可能になるため、非常に経済的であるというメリットがある。さらに、発熱部材１３６Ａ、１３６Ｂはシート状ヒータであっても良い。
【００４６】
次に、上記した第１の実施形態のガスミストマスク装置１０Ａを用いて、眼部のガスミスト浴を行う際には、まず、アイマスク１３０を使用者の眼部に固定し、発熱部材１３６を発熱させる（発熱部材１３６が酸化発熱するよう外装体から出す、ヒータをオンにする、等）。図９に示すようなアイマスク本体１３１Ａ、１３１Ｂの場合は、発熱部材１３６をアイマスク本体１３１にセットする。次に、液体貯留部１２１Ｂに既に液体が貯留されている状態で、ガスミスト生成器１２０のガスボンベ接続部１２６にガスボンベ１１０をセットする。そして、ガスボンベ接続部１２６のダイヤルスイッチ１２６Ａをひねると、ガスがノズル１２２に供給され始める。さらにダイヤルスイッチ１２６Ａによりガスの流量を調節する。ノズル１２２は、図２に示すように先端へ向かって狭窄されているため、ガスボンベ１１０からのガスは流速を増して吐出される。液体はこのときの気流により発生する負圧で吸液管１２４Ａを吸い上げられ、バッフル１２５の下端に衝突する。この衝突によって生成されるミストの粒径は微細であることが望ましく、具体的には１０μｍ以下であるのが最適である。このように微細に粉砕されたミストは、マイナスイオンの効果を発揮することができる。
【００４７】
生成されたガスミストはガスミスト貯留部１２１Ａ内に広がり、ガスの対流に従ってガスミスト排出口１２７から排出される。ここで、ガスミスト貯留部１２１Ａは、図１に示すように上部に向かって凸な湾曲面を有するドーム型形状であるのが好ましい。そして、ドーム型の略頭頂部にガスミスト排出口１２７を設ける。このような形状にすることにより、ミストがガスミスト貯留部１２１Ａの内壁上部に接触して液体に戻り落下するのをできるだけ妨げながら、より多くのガスミストを貯留することが可能となる。
【００４８】
ガスミスト排出口１２７から排出されたガスミストは、ガスミスト供給管１２８を通り、接続部１３９を介してアイマスク本体１３１に供給される。これによりガスミスト浴が行われる。
【００４９】
〔第２の実施形態〕
上記第１の実施形態では、マスク部材として人体の眼部とその周辺を覆うアイマスク１３０を用いる例を示したが、本実施形態では、顔部全体を覆うフェイスマスクを用いる例について説明する。
【００５０】
図１０は、本発明の第２の実施形態に係るガスミストマスク装置の全体概略図である。なお、図１に示す第１の実施形態と同一の部分については、同一の符号を付して詳細な説明は省略する。
【００５１】
図１０に示すように、本実施形態のガスミストマスク装置１０Ｂは、ガスボンベ（ガス供給手段）１１０と、ガスミスト生成器（ガスミスト生成手段）１２０と、フェイスマスク（マスク部材）１４０とを有する。
【００５２】
フェイスマスク１４０は、使用者の顔部を覆う形状を有するフェイスマスク本体１４１と、このフェイスマスク本体１４１を使用者に固定するための固定部（ここでは例として、紐）１４２とから構成されている。図１１にそのフェイスマスク１４０を装着した状態を示す。この図に示すように、紐１４２を使用者の後頭部で結ぶことにより、フェイスマスク本体１４１を使用者の顔部を覆った状態のまま固定することができる。
【００５３】
フェイスマスク本体１４１には、ガスミスト生成器１２０で生成されたガスミストをフェイスマスク本体１４１内に供給するための接続部（ガスミスト供給口）１４３が設けられている。この接続部１４３には、ガスミスト供給管１２８が接続される。また、この接続部１４３の内部には、ガスミストの逆流を防止するための逆止弁が形成されるのが好適である。
【００５４】
フェイスマスク本体１４１は、使用者の顔全体を覆うため、呼吸用の開口を設けるようにする。ここでは、鼻用の開口１４４と、口用の開口１４５が設けられた例を示している。また、フェイスマスク本体１４１は、使用者の顔の曲面にできるだけ沿ってフィットするよう、立体的な形状であるのが望ましい。
【００５５】
フェイスマスク本体１４１も、図１に示す実施形態におけるアイマスク本体１３１と同様に、通気性、透湿性の高い内側シート（第１のシート）と、非通気性、非透湿性の素材からなる外側シート（第２のシート）とを重ね合わせた構造を有している（図３参照）。そして、フェイスマスク本体１４１の周縁部と、さらに開口１４４、１４５の縁部は接合されており、接合部で周縁を囲まれた両シート間には空間が形成される。この空間には発熱部材が挿入されている〔図８（ａ）参照〕。また、前述の接続部１４３はこの空間に通じており、ガスミスト生成器１２０で生成されたガスミストはこの空間に供給される。供給されたガスミストは、通気性、透湿性の高い内側シートを通過して使用者の眼部やその他の部位の皮膚及び粘膜に接する。
【００５６】
発熱部材は、既存の使い捨てカイロに用いられるような、通気性のある袋体に鉄粉等の酸化発熱する素材が入ったものを用いるのが好適であるが、シート状ヒータを用いても良い。また、発熱部材は、内側シートと外側シートの間に設けても良い（図８参照）し、外側シートの側部に配置しても良い（図９参照）。フェイスマスク１４０は、使い捨てにしても良いし、繰り返し使うようにしても良い。使い捨てにする場合は、フェイスマスク１４０全体を使い捨てにしても良いし、発熱部材のみを使い捨てにしても良い。但し、フェイスマスクの場合は、アイマスクに比べて形状が複雑であるため、図９（ａ）に示すように外側シートと通気性シート間に発熱部材を入れて使用する構成の場合、発熱部材を複数のパーツに分割して、複数設けた出し入れ口から挿入するのが好適である。
【００５７】
〔第３の実施形態〕
上記第１、第２の実施形態では、ガス供給手段として小型のカートリッジ式ガスボンベ１１０を用いる例を示したが、本実施形態では、据置型のガス供給装置を用いる例について示す。
【００５８】
図１２は、本発明の第３の実施形態に係るガスミストマスク装置の全体概略図である。なお、図１に示す第１の実施形態と同一の部分については、同一の符号を付して詳細な説明は省略する。
【００５９】
図１２に示すように、本実施形態のガスミストマスク装置１０Ｃは、ガス供給装置（ガス供給手段）１５０と、ガスミスト生成器（ガスミスト生成手段）１２０と、アイマスク（マスク部材）１３０とを有する。
【００６０】
ガス供給装置１５０は、ガス（酸素、炭酸ガス、又は酸素と炭酸ガスの混合ガス）を所定圧でガスミスト生成器１２０に供給するための据置型の装置である。その内部にはガスボンベ（図示せず）を内蔵している。また、コンプレッサを内蔵していても良い。もしくは、外部のガスボンベ等に接続されていても良い。
【００６１】
ガス供給装置１５０は、例えば図１２に示すように、電源スイッチ１５１、ガス供給ＯＮ／ＯＦＦスイッチ１５２、ＯＦＦタイマー（ガス供給時間設定部）１５３、ガス供給圧調整部１５４とを備えている。また、ガス供給装置１５０とガスミスト生成器１２０とはガス供給管１５５で接続されている。ＯＦＦタイマー１５３は、ガスの供給時間を設定するためのもので、設定した時間が経過すると自動的にガスの供給を停止させる。また、ガス供給圧調整部１５４では、ガスの供給圧を任意に設定することができる。このように、本実施形態のガス供給手段では、ガスの供給時間や供給圧の設定が可能なため、その使用目的の範囲を広範にすることができる。ガス供給装置１５０はこのほか、炭酸ガスと酸素を個別に供給するスイッチやガス混合比設定部等を備えるようにしても良い。それにより、炭酸ガスと酸素の混合比を任意に設定できるようになり、使用者の目的に自由に対応させることが可能となる。
【００６２】
なお、ここではマスク部材として人体の眼部とその周辺を覆うアイマスク１３０を用いる例を示したが、図１３のように顔部全体を覆うフェイスマスク１４０を用いたガスミストマスク装置１０Ｄとしても良い（フェイスマスク１４０の詳細は第２の実施形態を参照のこと）。
【００６３】
〔第４の実施形態〕
上記第３の実施形態では、一つのガスミスト生成器１２０に対して一つのマスク部材１３０、１４０を接続する例を示したが、本実施形態では、複数のマスク部材を接続する構成について説明する。
【００６４】
図１４は、本発明の第４の実施形態に係るガスミストマスク装置の全体概略図である。なお、図１乃至図１３に示す実施形態と同一の部分については、同一の符号を付して詳細な説明は省略する。
【００６５】
図１４に示すように、本実施形態のガスミストマスク装置１０Ｅは、ガス供給装置（ガス供給手段）１５０と、ガスミスト生成器（ガスミスト生成手段）１２０と、複数のマスク部材（アイマスク）１６０とを有する。
【００６６】
本実施形態では、ガスミスト生成器１２０と複数（ここでは３つ）のマスク部材（例として、アイマスク。フェイスマスクでも良い）１６０Ａ、１６０Ｂ、１６０Ｃの間に、複数（ここでは３つ）に分岐するガスミスト供給管１２９を設ける。これにより、一つのガス供給装置１５０及びガスミスト生成器１２０に対して、複数（ここでは３つ）のマスク部材１６０Ａ、１６０Ｂ、１６０Ｃを接続することが可能になる。このとき、ガス供給装置１５０では、複数のマスク部材１６０Ａ、１６０Ｂ、１６０Ｃの各々で最適なガスミスト浴ができるよう、ガス供給圧調整部１５４によりガスの供給圧を調整する。
【００６７】
ここで、ガスミスト供給管１２９の内部には、図示しないがガスミストの逆流を防止するための逆止弁を設けるようにする。また、ガスミスト供給管１２９には、図示しないが管内に付着する余分な液滴を取り除くための液滴除去フィルターを設けるようにしても良い。さらに、ガスミスト供給管１２９は、その全部又は一部を管径の太い柔軟なジャバラ状の管で構成しても良い。
【００６８】
なお、ここでは複数に分岐したガスミスト供給管１２９を用いる例を図示しているが、ガスミスト生成器にガスミスト排出口を複数設けるようにしても良いし、複数に分岐する管をガスミスト供給管の途中に設けてガスミストを複数のマスク部材に供給するようにしても良い。
【００６９】
〔第５の実施形態〕
上記実施形態では、ガスはノズル１２２のみからガスミスト生成器１２０に供給される構成としたが、本実施形態では、ガスミスト生成器にノズルとは別にガスの供給口を設ける構成について説明する。
【００７０】
図１５は、本発明の第５の実施形態に係るガスミストマスク装置の全体概略図である。なお、図１乃至図１４に示す実施形態と同一の部分については、同一の符号を付して詳細な説明は省略する。
【００７１】
図１５に示すように、本実施形態のガスミストマスク装置１０Ｆは、ガスボンベ（ガス供給手段）１１０と、ガスミスト生成器（ガスミスト生成手段）１７０と、アイマスク（マスク部材）１３０とを有する。
【００７２】
本実施形態のガスミスト生成器１７０には、ガスミスト貯留部１２１Ａに通じるガス供給口１７１と、さらにガスボンベ接続部１２６からガス供給口１７１へガスを供給するガス供給管１７２が設けられている。
【００７３】
ガスボンベ１１０からのガスは、ガスミスト生成器１７０内のノズル１２２に供給されるのと同時に、ガスボンベ接続部１２６からガス供給管１７２を介してガス供給口１７１よりガスミスト貯留部１２１Ａにも供給される。このガス供給口１７１又はガス供給管１７２には、ガスボンベ１１０からのガスの供給を開始及び停止するための手段（スイッチ等）が設けられるのが好適である。
【００７４】
なお、上記ではガス供給手段としてカートリッジ式の小型のガスボンベ１１０に適用する場合の例について説明したが、据置型のガス供給装置１５０の場合も同様に適用可能である。この場合、ガス供給管１７２はガス供給装置１５０に直接接続されても良いし、ガス供給装置１５０のガス供給管１５５と接続されても良い。
【００７５】
以上、説明した各実施形態では、マスク部材１３０、１４０、１６０へガスミストを導入するためのガスミスト供給口（接続部）を一つのみ設ける構成として図示したが、ガスミスト供給口（接続部）を複数設けて複数個所からガスミストを導入するようにしても良い。また、ガスミスト供給口（接続部）を設ける位置も、図で示した場所に限らず任意に設定が可能である。
【００７６】
さらに、上記ではマスク部材１３０、１４０、１６０を人体の眼部や顔部に固定する固定部として、耳かけや紐を例に挙げたが、このほかにもベルトや面ファスナー等、様々なものを用いることができる。
【００７７】
上記のように本発明のガスミストマスク装置によれば、酸素や炭酸ガスの生理作用を利用して、人体の眼部及び顔部を乾燥と冷えから守り、血流を盛んにし、炎症などを早く鎮める、免疫力を上昇させる等の効果を発揮することができる。
【００７８】
また、簡易な構造からなるために安価で、さらに非常にコンパクトなため、持ち運びも可能で簡便に人体の眼部及び顔部のガスミスト浴を行うことができる。
【００７９】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００８０】
本発明は、酸素、炭酸ガス、又は酸素と炭酸ガスの混合ガスと液体とを粉砕溶解させたガスミストを人体の顔部及び眼部に接触させるためのガスミストマスク装置に関するものであり、産業上の利用可能性を有する。
【符号の説明】
【００８１】
１０Ａ、１０Ｂ、１０Ｃ、１０Ｄ、１０Ｅ、１０Ｆ  ガスミストマスク装置
１１０    ガスボンベ
１２０    ガスミスト生成器
１２０Ａ、１２０Ｂ  プレート
１２１    貯留部
１２１Ａ  ガスミスト貯留部
１２１Ｂ  液体貯留部
１２２    ノズル
１２２Ａ  先端開口
１２３    遮蔽板
１２４Ａ  吸液管
１２４    吸液管形成部材
１２５    バッフル
１２６    ガスボンベ接続部
１２６Ａ  ダイヤルスイッチ
１２６Ｂ  残量ゲージ
１２７    ガスミスト排出口
１２８    ガスミスト供給管
１２８Ａ  ジャバラ状の管
１２９    ガスミスト供給管
１３０    アイマスク
１３１、１３１Ａ、１３１Ｂ  アイマスク本体
１３２、１３２Ａ、１３２Ｂ  内側シート
１３３、１３３Ａ、１３３Ｂ  外側シート
１３４、１３４Ａ、１３４Ｂ  空間
１３５、１３５Ａ、１３５Ｂ  接合部
１３６、１３６Ａ、１３６Ｂ  発熱部材
１３７ａ  通気性シート
１３７ｂ  出し入れ口
１３８    固定部
１３９    接続部
１４０    フェイスマスク
１４１    フェイスマスク本体
１４２    固定部
１４３    接続部
１４４、１４５    開口
１５０    ガス供給装置
１５１    電源スイッチ
１５２    ガス供給ＯＮ／ＯＦＦスイッチ
１５３    ＯＦＦタイマー
１５４    ガス供給圧調整部
１５５    ガス供給管
１６０    複数のマスク部材
１６０Ａ、１６０Ｂ、１６０Ｃ  マスク部材
１７０    ガスミスト生成器
１７１    ガス供給口
１７２    ガス供給管
【図１】
0005419236.tif 000002
【図２】
0005419236.tif 000003
【図３】
0005419236.tif 000004
【図４】
0005419236.tif 000005
【図５】
0005419236.tif 000006
【図６】
0005419236.tif 000007
【図７】
0005419236.tif 000008
【図８】
0005419236.tif 000009
【図９】
0005419236.tif 000010
【図１０】
0005419236.tif 000011
【図１１】
0005419236.tif 000012
【図１２】
0005419236.tif 000013
【図１３】
0005419236.tif 000014
【図１４】
0005419236.tif 000015
【図１５】
0005419236.tif 000016